(57)【要約】【課題】庫内温度の表示を客にとっても見やすいものにでき、顧客への温度管理アピール性を向上できるとともに、温度管理作業の作業性も向上できる冷凍冷蔵ショーケースを得る。【解決手段】断熱壁で形成されるショーケース本体に運転内容を設定する設定器５や庫内温度の表示器４を備えたショーケースコントローラ３、冷却器を設け、電源回路に接続されて前記ショーケースコントローラ３の表示器４の表示やショーケースの運転などを制御する制御装置７が前記ショーケースコントローラ３に接続される冷凍冷蔵ショーケースにおいて、前記ショーケースコントローラ３に設置されている表示器４とは別に庫内温度を表示する温度表示装置１４をショーケース本体に設け、この温度表示装置１４を前記制御装置７に接続し、この制御装置７からの出力で庫内温度を表示する。【選択図】        図１
2004308991.tif 000002
【特許請求の範囲】
【請求項１】
断熱壁で形成されるショーケース本体に運転内容を設定する設定器や庫内温度の表示器を備えたショーケースコントローラ、冷却器を設け、電源回路に接続されて前記ショーケースコントローラの表示器の表示やショーケースの運転などを制御する制御装置が前記ショーケースコントローラに接続される冷凍冷蔵ショーケースにおいて、前記ショーケースコントローラに設置されている表示器とは別に庫内温度を表示する温度表示装置をショーケース本体に設け、この温度表示装置を前記制御装置に接続し、この制御装置からの出力で庫内温度を表示することを特徴とする冷凍冷蔵ショーケース。
【請求項２】
前記温度表示装置には、ショーケースコントローラの表示器に出力される温度データと同一のデータを入力する伝送回路を設けたことを特徴とする請求項１記載の冷凍冷蔵ショーケース。
【請求項３】
前記制御装置から温度表示装置への出力は、制御装置からショーケースコントローラーの出力を行う通信線を分岐し、この分岐した通信線を温度表示装置に接続して行なうことを特徴とする請求項１または請求項２に記載の冷凍冷蔵ショーケース。
【発明の詳細な説明】
【０００１】
【発明の属する技術分野】
この発明は冷凍冷蔵ショーケースの特に庫内温度を表示する温度表示装置に関するものである。
【０００２】
【従来の技術】
冷凍冷蔵ショーケースは、周知のごとく、例えば図４に示すように断熱壁で形成されるショーケース本体１内を仕切板で商品収納庫２と冷気循環ダクトとに区画し、前記冷気循環ダクト内に冷却器を配設し、この冷却器で冷却した冷気をショーケースの前面に形成される開口に吹出して、商品収納庫２の内部の商品を冷却している。
【０００３】
この冷却器の運転などの制御を行なう制御装置を別途設置し、また、前記商品出入用の開口の上方など操作しやすく、また、見やすい箇所に、ショーケースコントローラ３を設置している。
【０００４】
このショーケースコントローラ３は、図５に示すように例えばボックス形状のもので、ケースの前面に庫内温度を表示する表示器４を設け、図６のブロック図に示すように内部に庫内温度の設定などを行なう設定器５が配設されている。そして、これら表示器４や設定器５は伝送回路６に接続される。
【０００５】
一方、制御装置７は、中央処理装置８の入力側に庫内温度を検出する温度センサ９、電源回路１０が接続され、出力側に冷却器や冷却器の除霜を行なうヒータなどに出力する制御出力１１が接続され、中央処理装置８は伝送回路１２を介して通信線１３で前記ショーケースコントローラ３側の伝送回路６と接続される。
【０００６】
庫内温度は、温度センサ９で検出されて制御装置７の中央処理装置８に入力され、ここから伝送回路１２、通信線１３およびショーケースコントローラ３側の伝送回路６を介して表示器４に伝えられ、ここに表示される。
【０００７】
表示器４は、例えば７セグメントの発光ダイオード（ＬＥＤ）により構成されており、実際の庫内温度を知るにはこの表示器４の表示を見る。
【０００８】
【発明が解決しようとする課題】
前記表示器４は例えば店員などがショーケースの温度を管理する場合などに見ることを想定して設置されたものであり、そのため、ショーケースコントローラ３のケースの前面に設けた表示器４も設定器５などを操作する際に見えればよいものであって、特に大きいものにはなっていない。
【０００９】
一方、鮮度や冷え具合が大きな要素を占める商品の場合などは、庫内温度は客にとっても関心のあるものとなるが、かかる場合に、客が庫内温度を知るにはショーケースコントローラ３に付属の表示器４を見ることになる。しかしながら、前記表示器４は表示面が大きくはないので、見やすいものとはいえなかった。
【００１０】
この発明の目的は前記従来例の不都合を解消し、庫内温度の表示を客にとっても見やすいものにでき、顧客への温度管理アピール性を向上できるとともに、温度管理作業の作業性も向上できる冷凍冷蔵ショーケースを提供することにある。
【００１１】
【課題を解決するための手段】
この発明は前記目的を達成するため、断熱壁で形成されるショーケース本体に運転内容を設定する設定器や庫内温度の表示器を備えたショーケースコントローラ、冷却器を設け、電源回路に接続されて前記ショーケースコントローラの表示器の表示やショーケースの運転などを制御する制御装置が前記ショーケースコントローラに接続される冷凍冷蔵ショーケースにおいて、前記ショーケースコントローラに設置されている表示器とは別に庫内温度を表示する温度表示装置をショーケース本体に設け、この温度表示装置を前記制御装置に接続し、この制御装置からの出力で庫内温度を表示することを特徴とする。
【００１２】
これにより、ショーケースコントローラに設置されている表示器とは別に庫内温度を表示する温度表示装置を設置するから、この温度表示装置の表示部を大きいものに設定することもでき、表示が見やすくなる。また、温度表示装置は制御装置に接続されるから、この制御装置に接続するだけで任意の箇所に自由設置できるだけでなく、制御装置に接続されている電源回路から電源をとることができ、温度表示装置に別途電源を接続する必要がなく、配線を増加させずに容易に設置できる。
【００１３】
【発明の実施の形態】
以下、図面についてこの発明の実施形態を詳細に説明する。図１はこの発明の冷凍冷蔵ショーケースの実施形態を示す制御ブロック図、図２はこの発明の冷凍冷蔵ショーケースの要部である温度表示装置の斜視図で、温度表示装置１４は、図３に示すように、例えばショーケース本体１の上部などの見やすい箇所に設置されるものであり、ショーケースの運転を制御する設定器などが配設されているショーケースコントローラ３とは別個のものとして設置される。
【００１４】
温度表示装置１４の形状は、図２に示すように例えば幅１８０ｍｍ、奥行き４０ｍｍ、高さ１３０ｍｍのボックス状のケース１５の前面に庫内の温度を表示する表示器１６を設けたもので、この表示器１６の表示の形態としては、例えば図示のような発光ダイオード（ＬＥＤ）を使用する７セグメントによるものや、ドットタイプのものなどを適宜選択する。
【００１５】
この場合、温度表示装置１４は、庫内温度を表示するためだけのものであるから、表示器１６のサイズをショーケースコントローラ３側の表示器４に比較して大型のものにできる。
【００１６】
次にこの発明の制御ブロックを図１について説明すると、この発明も従来と同様に、ショーケースの運転制御としては、ショーケースコントローラ３をショーケース毎に設置し、このショーケースコントローラ３は、ボックス形状のケースの前面に庫内温度を表示する表示器４を設け、内部に庫内温度の設定などを行なう設定器５が配設されている。そして、これら表示器４や設定器５は伝送回路６に接続される。
【００１７】
ショーケースの運転を制御する制御装置７は、中央処理装置８の入力側に庫内温度を検出する温度センサ９、電源回路１０が接続され、出力側に冷却器や冷却器の除霜を行なうヒータなどに出力する制御出力１１が接続され、中央処理装置８は伝送回路１２を介して通信線１３で前記ショーケースコントローラ３側の伝送回路６と接続される。
【００１８】
庫内温度は、温度センサ９で検出されて制御装置７の中央処理装置８に入力され、ここから伝送回路１２、通信線１３およびショーケースコントローラ３側の伝送回路６を介して表示器４に伝えられ、ここに表示される。
【００１９】
この発明は前記のようなショーケースの制御回路の中に温度表示装置１４の制御回路を組み込んだもので、温度表示装置１４の制御回路は、表示器１６の入力側に判定回路１７が接続され、この判定回路１７の入力側に伝送回路１８が接続される。
【００２０】
そして、前記伝送回路１８は、制御装置７の伝送回路１２とショーケースコントローラ３側の伝送回路６とを接続する通信線１３を途中で分岐した通信線１３ａに接続され、この通信線１３ａを介して制御装置７の伝送回路１２に直接接続される。
【００２１】
前記判定回路１７は、制御装置７の伝送回路１２から通信線１３、１３ａを介して伝送されてくる庫内の温度データや、冷却器のオンオフ制御、除霜のオンオフ制御のための制御信号などのうち、庫内温度データのみを選別する機能を有する。
【００２２】
次に温度表示装置１４の表示器１６に庫内温度を表示する方法について説明する。温度表示装置１４の伝送回路１８には制御装置７の伝送回路１２から通信線１３、１３ａを介して庫内の温度データや、冷却器のオンオフ制御、除霜のオンオフ制御のための制御信号などの各種のデータが伝送されてくる。
【００２３】
この伝送回路１８に入力されるデータ信号はショーケースコントローラ３の伝送回路６と制御装置７の伝送回路１２とを接続する通信線１３を途中で分岐した通信線１３ａを介して伝送されるものであるので、ショーケースコントローラ３の伝送回路６に伝送されるものと同一内容である。
【００２４】
温度表示装置１４の判定回路１７では伝送回路１８に入力されたデータの中から庫内温度データのみを選択し、これを表示器１６に出力して庫内温度を表示器１６に表示する。よって、表示器１６に表示される庫内温度は、ショーケースコントローラ３の表示器４に表示されるデータと同一のものであるから、同一の温度値が表示され、表示データに食い違いが生じることはない。
【００２５】
また、電源もこの通信線１３、１３ａを介して制御装置７から温度表示装置１４に供給される。これにより、表示器１６に庫内温度を表示するために、通信線１３ａとは別に商用電源を供給するための配線を敷設する必要がなく、温度表示装置１４の取付工事の簡略化が図れる。
【００２６】
さらに、表示器１６に表示される庫内温度のデータは、ショーケースコントローラ３側の表示器４に表示する庫内温度データとして、制御装置７の中央処理装置８に入力される温度センサ９からのデータをそのまま使用するから、別途温度センサを設置して表示器１６に表示するための温度データを得る必要がなく、温度表示装置１４を制御装置７に接続するだけで庫内温度表示が可能となる。
【００２７】
このようにして設置された温度表示装置１４は表示器１６の表示面が大きいから、客にとって見やすく、顧客への庫内温度管理アピール性を向上できる。また、店舗側にとっては、温度管理作業が行ないやすくなる。
【００２８】
【発明の効果】
以上述べたようにこの発明の冷凍冷蔵ショーケースは、断熱壁で形成されるショーケース本体に運転内容を設定する設定器や庫内温度の表示器を備えたショーケースコントローラ、冷却器を設け、電源回路に接続されて前記ショーケースコントローラの表示器の表示やショーケースの運転などを制御する制御装置が前記ショーケースコントローラに接続される冷凍冷蔵ショーケースにおいて、前記ショーケースコントローラに設置されている表示器とは別に庫内温度を表示する温度表示装置をショーケース本体に設け、この温度表示装置を前記制御装置に接続し、この制御装置からの出力で庫内温度を表示するようにした。
【００２９】
これにより、ショーケースコントローラに設置されている表示器とは別に庫内温度を表示する温度表示装置を設置するから、この温度表示装置の表示部を大きいものに設定することもでき、表示が見やすくなる。また、温度表示装置は制御装置に接続されるから、この制御装置に接続するだけで任意の箇所に自由設置できるだけでなく、制御装置に接続されている電源回路から電源をとることができ、温度表示装置に別途電源を接続する必要がなく、配線を増加させずに容易に設置できる。
【００３０】
さらに、制御装置からショーケースコントローラに伝送される温度データと同一のデータを温度表示装置に伝送することで、ショーケースコントローラ側の表示器に表示される温度値と同一の温度を表示できるものである。
【図面の簡単な説明】
【図１】この発明の冷凍冷蔵ショーケースの実施形態を示す制御ブロック図である。
【図２】この発明の冷凍冷蔵ショーケースの要部である温度表示装置の斜視図である。
【図３】この発明の冷凍冷蔵ショーケースの実施形態を示す斜視図である。
【図４】従来の冷凍冷蔵ショーケースを示す斜視図である。
【図５】ショーケースコントローラの斜視図である。
【図６】従来の冷凍冷蔵ショーケースの制御ブロック図である。
【符号の説明】
１  ショーケース本体            ２  商品収納庫
３  ショーケースコントローラ    ４  表示器
５  設定器                      ６  伝送回路
７  制御装置                    ８  中央処理装置
９  温度センサ                  １０  電源回路
１１  制御出力                  １２  伝送回路
１３  通信線                    １３ａ  通信線
１４  温度表示装置              １５  ケース
１６  表示器                    １７  判定回路
１８  伝送回路
【図１】
2004308991.tif 000003
【図２】
2004308991.tif 000004
【図３】
2004308991.tif 000005
【図４】
2004308991.tif 000006
【図５】
2004308991.tif 000007
【図６】
2004308991.tif 000008